【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
無線通信システムの無線リンクパラメータを更新する方法であって、前記無線通信システムは、ネットワークコントローラと、前記ネットワークコントローラに接続された基地局とを有し、
前記方法は、
前記基地局が前記無線リンクパラメータを更新する必要がある場合に、前記基地局と前記ネットワークコントローラとの間でメッセージを介した前記無線リンクパラメータの更新を開始するためのパラメータ情報を送信することを含み、
前記無線リンクパラメータは、高速ダウンリンクパケット接続（ＨＳＤＰＡ）関連パラメータであり、
前記パラメータ情報は、ＣＱＩ（ｃｈａｎｎｅｌ  ｑｕａｌｉｔｙ  ｉｎｄｉｃａｔｏｒ）フィードバックサイクル情報と、ＣＱＩ反復ファクタ情報とのうちの少なくとも１つを含み、
前記メッセージは、前記基地局から前記ネットワークコントローラへと送信される、方法。
【請求項２】
前記パラメータ情報は、ＡＣＫ／ＮＡＣＫ反復ファクタ情報をさらに含む、請求項１に記載の方法。
【請求項３】
前記パラメータ情報は、ＣＱＩパワーオフセット情報と、ＡＣＫパワーオフセット情報と、ＮＡＣＫパワーオフセット情報と、ＨＳ−ＳＣＣＨコード変更指示子情報とのうちの少なくとも１つをさらに含む、請求項１に記載の方法。
【請求項４】
前記パラメータ情報は、高速専用物理制御チャネル（ＨＳ−ＤＰＣＣＨ）に関連する、請求項１に記載の方法。
【請求項５】
前記ＨＳ−ＤＰＣＣＨは、２ｍｓのサブフレームを使用する、請求項４に記載の方法。
【請求項６】
前記２ｍｓのサブフレームは、３つのスロットを含む、請求項５に記載の方法。
【請求項７】
前記パラメータ情報は、パラメータ値である、請求項１に記載の方法。
【請求項８】
前記基地局は、ユーザ端末の無線チャネル状態が変更される場合に、前記無線リンクパラメータの更新を開始する、請求項１に記載の方法。
【請求項９】
前記基地局は、所定の周期毎に、または、前記無線リンクパラメータが所定のしきい値を超える場合に、前記無線リンクパラメータの更新を開始する、請求項１に記載の方法。
【請求項１０】
前記周期および前記しきい値は、前記基地局において設定される、請求項９に記載の方法。
【請求項１１】
前記周期および前記しきい値は、前記ネットワークコントローラから提供される、請求項９に記載の方法。
【請求項１２】
前記基地局は、ユーザ端末の無線リンク構成情報に従って前記パラメータ情報を制御する、請求項１に記載の方法。
【請求項１３】
前記無線リンク構成情報は、前記ネットワークコントローラから送信される、請求項１２に記載の方法。
【請求項１４】
前記基地局は、前記無線リンク構成情報を分析し、前記ユーザ端末がハンドオーバーを開始および終了する場合にのみ、前記基地局は、前記無線リンクパラメータの更新を開始する、請求項１２に記載の方法。
【請求項１５】
前記基地局は、前記ユーザ端末の無線リンクの数が変更される場合にのみ、前記無線リンクパラメータを更新することを必要とする、請求項１２に記載の方法。
【請求項１６】
前記基地局は、ＨＡＲＱ（ｈｙｂｒｉｄ  ａｕｔｏｍａｔｉｃ  ｒｅｐｅａｔ  ｒｅｑｕｅｓｔ）機能を有する、請求項１に記載の方法。
【請求項１７】
時間情報と前記ネットワークコントローラにおいて更新された前記パラメータ情報とをユーザ端末に送信することをさらに含む、請求項１に記載の方法。
【請求項１８】
前記時間情報は、活性化時間（ａｃｔｉｖａｔｉｏｎ  ｔｉｍｅ）である、請求項１７に記載の方法。
【請求項１９】
前記活性化時間は、ＣＦＮ（ｃｏｎｎｅｃｔｉｏｎ  ｆｒａｍｅ  ｎｕｍｂｅｒ）値を含む、請求項１８に記載の方法。
【請求項２０】
前記ネットワークコントローラは、制御ＲＮＣ（ｃｏｎｔｒｏｌｌｉｎｇ  ｒａｄｉｏ  ｎｅｔｗｏｒｋ  ｃｏｎｔｒｏｌｌｅｒ）である、請求項１に記載の方法。
【請求項２１】
少なくとも１つのネットワークコントローラと、前記ネットワークコントローラに接続された少なくとも１つの基地局と、前記基地局と通信する少なくとも１つのユーザ端末とを有する無線通信システムの無線リンクパラメータ情報を処理する方法であって、前記ユーザ端末が前記方法を実行し、
前記方法は、
前記ネットワークコントローラから高速ダウンリンクパケット接続関連無線リンクパラメータ情報を受信することと、
前記基地局と前記ネットワークコントローラとの間でメッセージを介して前記基地局から前記ネットワークコントローラに以前に送信された前記受信された高速ダウンリンクパケット接続（ＨＳＤＰＡ）関連無線リンクパラメータ情報を用いて、パラメータ構成を実行することと
を含み、
前記パラメータ情報は、ＣＱＩ（ｃｈａｎｎｅｌ  ｑｕａｌｉｔｙ  ｉｎｄｉｃａｔｏｒ）フィードバックサイクル情報と、ＣＱＩ反復ファクタ情報とのうちの少なくとも１つを含む、方法。
【請求項２２】
前記パラメータ情報は、ＡＣＫ／ＮＡＣＫ反復ファクタ情報をさらに含む、請求項２１に記載の方法。
【請求項２３】
前記パラメータ情報は、ＣＱＩパワーオフセット情報と、ＡＣＫパワーオフセット情報と、ＮＡＣＫパワーオフセット情報と、ＨＳ−ＳＣＣＨコード変更指示子情報とのうちの少なくとも１つをさらに含む、請求項２１に記載の方法。
【請求項２４】
前記パラメータ情報は、高速専用物理制御チャネル（ＨＳ−ＤＰＣＣＨ）に関連する、請求項２１に記載の方法。
【請求項２５】
前記ＨＳ−ＤＰＣＣＨは、２ｍｓのサブフレームを使用する、請求項２４に記載の方法。
【請求項２６】
前記高速ダウンリンクパケット接続関連無線リンクパラメータ情報は、無線リソース制御シグナリングを介して受信される、請求項２１に記載の方法。
【請求項２７】
前記無線リソース制御シグナリングは、無線ベアラ再構成、伝送チャネル再構成および物理チャネル再構成メッセージのうちの少なくとも１つを使用する、請求項２６に記載の方法。
【請求項２８】
前記受信するステップは、無線リンクパラメータ更新手順が前記基地局によって開始された後に実行される、請求項２１に記載の方法。
【請求項２９】
前記開始された無線リンクパラメータ更新手順に従って前記基地局の少なくとも１つの高速ダウンリンクパケット接続関連無線リンクパラメータを構成するように前記基地局から前記ネットワークコントローラに前記メッセージを送信することをさらに含む、請求項２８に記載の方法。
【請求項３０】
無線通信システムの無線リンクパラメータを更新する方法であって、前記無線通信システムは、ネットワークコントローラと、前記ネットワークコントローラに接続された基地局とを有し、前記ネットワークコントローラが前記方法を実行し、
前記方法は、
前記基地局が前記無線リンクパラメータを更新する必要がある場合に、前記基地局と前記ネットワークコントローラとの間でメッセージを介した前記無線リンクパラメータの更新のためのパラメータ情報を受信することを含み、
前記無線リンクパラメータは、高速ダウンリンクパケット接続（ＨＳＤＰＡ）関連パラメータであり、
前記パラメータ情報は、ＣＱＩ（ｃｈａｎｎｅｌ  ｑｕａｌｉｔｙ  ｉｎｄｉｃａｔｏｒ）フィードバックサイクル情報と、ＣＱＩ反復ファクタ情報とのうちの少なくとも１つを含み、
前記メッセージは、前記基地局から前記ネットワークコントローラによって受信される、方法。
【請求項３１】
前記パラメータ情報は、ＡＣＫ／ＮＡＣＫ反復ファクタ情報をさらに含む、請求項３０に記載の方法。
【請求項３２】
前記パラメータ情報は、ＣＱＩパワーオフセット情報と、ＡＣＫパワーオフセット情報と、ＮＡＣＫパワーオフセット情報と、ＨＳ−ＳＣＣＨコード変更指示子情報とのうちの少なくとも１つをさらに含む、請求項３０に記載の方法。
【請求項３３】
前記パラメータ情報は、高速専用物理制御チャネル（ＨＳ−ＤＰＣＣＨ）に関連する、請求項３０に記載の方法。
【請求項３４】
２ｍｓのサブフレームは、３つのスロットを含む、請求項３３に記載の方法。
【請求項３５】
前記パラメータ情報は、パラメータ値である、請求項３０に記載の方法。
【請求項３６】
前記基地局は、ユーザ端末の無線チャネル状態が変更される場合に、前記無線リンクパラメータを更新することを必要とする、請求項３０に記載の方法。
【請求項３７】
前記基地局は、所定の周期毎に、または、前記無線リンクパラメータが所定のしきい値を超える場合に、前記無線リンクパラメータを更新することを必要とする、請求項３０に記載の方法。
【請求項３８】
前記周期および前記しきい値は、前記基地局において設定される、請求項３７に記載の方法。
【請求項３９】
前記周期および前記しきい値は、前記ネットワークコントローラから提供される、請求項３７に記載の方法。
【請求項４０】
前記基地局は、ＨＡＲＱ（ｈｙｂｒｉｄ  ａｕｔｏｍａｔｉｃ  ｒｅｐｅａｔ  ｒｅｑｕｅｓｔ）機能を有する、請求項３０に記載の方法。
【請求項４１】
前記ネットワークコントローラは、制御ＲＮＣ（ｃｏｎｔｒｏｌｌｉｎｇ  ｒａｄｉｏ  ｎｅｔｗｏｒｋ  ｃｏｎｔｒｏｌｌｅｒ）である、請求項３０に記載の方法。